(57)【要約】【課題】直管形蛍光ランプ、直管形ＬＥＤランプの照明器具の配線回路のチェックを容易に行うことができる配線回路チェック器を提供する。【解決手段】直管形ランプの照明器具の配線回路をチェックする配線回路チェック器１であって、本体２と、本体２の両端にそれぞれ設けられるとともに、照明器具の両端のソケットコンタクトに電気的に接続される一対の検出端子１０〜１３と、本体２の内部に設けられるとともに、検出端子１０〜１３に電気的に接続されるチェック回路１５とを備える。チェック回路１５は、本体２の各端の検出端子１０から３間の電圧、及び本体２の両端の検出端子１０〜１３間の電圧を測定する端子間電圧測定回路１６と、各検出端子１０〜１３の対地電圧を測定する対地電圧測定回路３０と、端子間電圧測定回路１６及び対地電圧測定回路３０で測定した結果に基づいた表示を行う表示部２３〜２８、３５〜３８とを備えている。【選択図】    図１
2012221663.tif 000002
【特許請求の範囲】
【請求項１】
直管形ランプの照明器具の配線回路をチェックする配線回路チェック器であって、
本体と、該本体の両端にそれぞれ設けられるとともに、前記照明器具の両端のソケットコンタクトに電気的に接続される一対の検出端子と、前記本体の内部に設けられるとともに、前記検出端子に電気的に接続されるチェック回路とを備え、
前記チェック回路は、前記本体の各端の検出端子間の電圧、及び前記本体の両端の検出端子間の電圧を測定する端子間電圧測定回路と、前記各検出端子の対地電圧を測定する対地電圧測定回路と、前記端子間電圧測定回路及び前記対地電圧測定回路で測定した結果に基づいた表示を行う表示部とを備えていることを特徴とする配線回路チェック器。
【請求項２】
前記表示部は、前記端子間電圧測定回路、及び前記対地電圧測定回路で測定した電圧値が所定の値を超えた場合に、点灯又は消灯することを特徴とする請求項１に記載の配線回路チェック器。
【請求項３】
前記表示部は、前記端子間電圧測定回路、及び前記対地電圧測定回路が測定した電圧値を表示することを特徴とする請求項１又は２に記載の配線チェック器。
【請求項４】
前記表示部は、前記端子間電圧測定回路による測定結果、及び前記対地電圧測定回路による測定結果に基づいた前記照明器具の配線回路のパターンを表示するコンピュータであることを特徴とする請求項１に記載の配線回路チェック器。
【請求項５】
前記端子間電圧測定回路は、前記本体の一端側の第１検出端子と第２検出端子との間の電圧を測定する第１回路と、前記本体の他端側の第３検出端子と第４検出端子との間の電圧を測定する第２回路と、前記第１検出端子と前記第３検出端子との間の電圧を測定する第３回路と、前記第２検出端子と前記第４検出端子との間の電圧を測定する第４回路と、前記第１検出端子と前記第４検出端子との間の電圧を測定する第５回路と、前記第２検出端子と前記第３検出端子との間の電圧を測定する第６回路とからなり、
前記対地電圧測定回路は、前記本体の一端側の第１検出端子の対地電圧を測定する第１回路と、第２検出端子の対地電圧を測定する第２回路と、前記本体の他端側の第３検出端子の対地電圧を測定する第３回路と、第４検出端子の対地電圧を測定する第４回路とからなることを特徴とする請求項１〜４の何れか１項に記載の配線回路チェック器。
【請求項６】
前記直管形ランプは、直管形蛍光ランプ及び直管形ＬＥＤランプであることを特徴とする請求項１〜５の何れか１項に記載の配線回路チェック器。
【発明の詳細な説明】
【技術分野】
【０００１】
本発明は、配線回路チェック器に関し、特に、直管形蛍光ランプや直管型ＬＥＤランプの照明器具の配線回路のチェックに有効な配線回路チェック器に関する。
【背景技術】
【０００２】
近年、直管形蛍光ランプに代わる光源として直管形ＬＥＤランプが注目されている。直管形ＬＥＤランプ（以下、ＬＥＤランプとする。）は、直管形蛍光ランプ（以下、蛍光ランプとする。）と同じ明るさで、蛍光ランプよりも消費電力が低く、寿命が長いため、省エネ対策に有効なものである。現在、電源回路等の構造が異なる２タイプ（商用電源直結形、既設安定器接続形）のＬＥＤランプが開発され、市場に提供されている（例えば、非特許文献１参照。）。
【０００３】
商用電源直結形のＬＥＤランプは、ＬＥＤランプの両端のピンコンタクト間、片側のピンコンタクト間に商用電源を直接印加するタイプのものであり、既設の蛍光ランプの照明器具をそのまま使用することができないため、既設の照明器具の配線回路を改造する必要がある。
【０００４】
また、既設安定器接続形のＬＥＤランプは、ＬＥＤランプの両端のピンコンタクト間に安定器を介して商用電源を印加するタイプのものであり、既設の蛍光ランプの照明器具をそのまま使用することができるが、既設の照明器具の安定器には、磁気式、電子式等の様々なタイプのものがあり、また、回路方式も様々であるため、既設の安定器と使用するＬＥＤランプとの組合せが適正で、かつ安全に動作するか否かを事前に確認する必要がある。
【先行技術文献】
【非特許文献】
【０００５】
【非特許文献１】「ＬＥＤ照明の適正使用ガイド」、社団法人  日本電球工業会出版、２０１０年６月１７日、ｐ３９−４１
【発明の概要】
【発明が解決しようとする課題】
【０００６】
ところで、上述したように、商用電源直結形のＬＥＤランプと既設安定器接続形のＬＥＤランプとは、電源の印加方式が異なるため、使用するＬＥＤランプと照明器具との組合せが適正でない場合や、配線回路の改造後の照明器具に誤って蛍光ランプを装着した場合等に、点灯不能、電源短絡等の問題が生じる。
【０００７】
このため、蛍光ランプに代えてＬＥＤランプを使用する場合には、使用するＬＥＤランプのタイプが商用電源直結形か既設安定器接続形かを確認する必要があり、また、商用電源直結形のＬＥＤランプを使用する場合には、そのＬＥＤランプの仕様に対応するように照明器具の配線回路が改造されているか否を確認する必要があり、さらに、既設安定器接続形のＬＥＤランプを使用する場合には、そのＬＥＤランプと照明器具の安定器との組合せが適正で、かつ安全に動作するか否かを確認する必要があり、さらに、ＬＥＤランプを蛍光ランプに戻す場合には、照明器具の配線回路が改造されているか否かを確認する必要があり、それらの作業に専門的な知識と手間がかかることになる。
【０００８】
本発明は、上記のような従来の問題に鑑みなされたものであって、専門的な知識を必要とすることなく、蛍光ランプ又はＬＥＤランプの照明器具の配線回路を容易にチェックすることができる配線回路チェック器を提供することを目的とする。
【課題を解決するための手段】
【０００９】
上記のような課題を解決するために、本発明は、以下のような手段を採用している。
すなわち、本発明は、直管形ランプの照明器具の配線回路をチェックする配線回路チェック器であって、本体と、該本体の両端にそれぞれ設けられるとともに、前記照明器具の両端のソケットコンタクトに電気的に接続される一対の検出端子と、前記本体の内部に設けられるとともに、前記検出端子に電気的に接続されるチェック回路とを備え、前記チェック回路は、前記本体の各端の検出端子間の電圧、及び前記本体の両端の検出端子間の電圧を測定する端子間電圧測定回路と、前記各検出端子の対地電圧を測定する対地電圧測定回路と、前記端子間電圧測定回路及び前記対地電圧測定回路で測定した結果に基づいた表示を行う表示部とを備えていることを特徴とする。
【００１０】
本発明の配線回路チェック器によれば、本体の両端の検出端子を対象の照明器具の両端のソケットコンタクトに接続することにより、チェック回路の端子間電圧測定回路で本体の各端の検出端子間の電圧、及び本体の両端の検出端子間の電圧を測定することができる。また、チェック回路の対地電圧測定回路で各検出端子の対地電圧を測定することができる。そして、端子間電圧測定回路で測定した結果、及び対地電圧測定回路で測定した結果に基づいた表示が表示部で行われる。従って、表示部の表示を目視することにより、対象の照明器具の配線回路の種類を特定することができる。
【００１１】
また、本発明において、前記表示部は、前記端子間電圧測定回路、及び前記対地電圧測定回路で測定した電圧値が所定の値を超えた場合に、点灯又は消灯することとしてもよい。
【００１２】
本発明の配線回路チェック器によれば、端子間電圧測定回路、及び対地電圧測定回路が測定した電圧値が所定の値を超えた場合に、表示部が点灯又は消灯することになるので、表示部の点灯又は消灯を目視することにより、対象の照明器具の配線回路の種類を特定することができる。
【００１３】
さらに、本発明において、前記表示部は、前記端子間電圧測定回路、及び前記対地電圧測定回路が測定した電圧値を表示することとしてもよい。
【００１４】
本発明の配線チェック器によれば、前記端子間電圧測定回路、及び前記対地電圧測定回路が測定した電圧値が表示部に表示されることになるので、表示部に表示される電圧値を目視することにより、対象の照明器具の配線回路の種類を特定することができる。
【００１５】
さらに、本発明において、前記表示部は、前記端子間電圧測定回路による測定結果、及び前記対地電圧測定回路による測定結果に基づいた前記照明器具の配線回路のパターンを表示するコンピュータであることとしてもよい。
【００１６】
本発明の配線回路チェック器によれば、端子間電圧測定回路による測定結果、及び対地電圧測定回路による測定結果に基づいた照明器具の配線回路のパターンがコンピュータに表示されるので、コンピュータの表示を目視することにより、対象の照明器具の配線回路の種類を特定することができる。
【００１７】
さらに、本発明において、前記端子間電圧測定回路は、前記本体の一端側の第１検出端子と第２検出端子との間の電圧を測定する第１回路と、前記本体の他端側の第３検出端子と第４検出端子との間の電圧を測定する第２回路と、前記第１検出端子と前記第３検出端子との間の電圧を測定する第３回路と、前記第２検出端子と前記第４検出端子との間の電圧を測定する第４回路と、前記第１検出端子と前記第４検出端子との間の電圧を測定する第５回路と、前記第２検出端子と前記第３検出端子との間の電圧を測定する第６回路とからなり、前記対地電圧測定回路は、前記本体の一端側の第１検出端子の対地電圧を測定する第１回路と、第２検出端子の対地電圧を測定する第２回路と、前記本体の他端側の第３検出端子の対地電圧を測定する第３回路と、第４検出端子の対地電圧を測定する第４回路とからなることとしてもよい。
【００１８】
本発明の配線回路チェック器によれば、端子間電圧測定回路の第１回路により、第１検出端子と第２検出端子との間の電圧が測定され、第２回路により、第３検出端子と第４検出端子との間の電圧が測定され、第３回路により、第１検出端子と第３検出端子との間の電圧が測定され、第４回路により、第２検出端子と第４検出端子との間の電圧が測定され、第５回路により、第１検出端子と第４検出端子との間の電圧が測定され、第６回路により、第２検出端子と第３検出端子との間の電圧が測定される。また、対地電圧測定回路の第１回路により、第１検出端子の対地電圧が測定され、第２回路により、第２検出端子の対地電圧が測定され、第３回路により、第３検出端子の対地電圧が測定され、第４回路により、第４検出端子の対地電圧が測定される。
【００１９】
さらに、本発明において、前記直管形ランプは、直管形蛍光ランプ及び直管形ＬＥＤランプであることとしてもよい。
【００２０】
本発明の配線回路チェック器によれば、直管形蛍光ランプ、直管形ＬＥＤランプの照明器具の配線回路のチェックに適用することができる。
【発明の効果】
【００２１】
以上、説明したように、本発明の配線回路チェック器によれば、対象の照明器具のソケットコンタクトに本体の検出端子を接続することにより、端子間電圧測定回路を介して検出端子間の電圧が測定され、対地電圧測定回路を介して各検出端子の対地電圧が測定され、これらの測定結果に基づいた表示が表示部で行われることになる。従って、表示部の表示を目視することにより、対象の照明器具の配線回路の種類を特定できるので、対象の照明器具の配線回路のチェックに専門的な知識を必要とすることなく、容易に、かつ確実にチェックすることができ、照明器具の故障、電源短絡による事故の発生等を未然に防ぐことができる。
【図面の簡単な説明】
【００２２】
【図１】本発明による配線回路チェック器の一実施の形態を示した概略図である。
【図２】図１の端子間電圧測定回路、及び対地電圧測定回路の一例を示した概略図である。
【図３】照明器具の第１改造例に相当する配線回路チェック器の点灯パターンを示した説明図である。
【図４】照明器具の第２改造例に相当する配線回路チェック器の点灯パターンを示した説明図である。
【図５】照明器具の第３改造例に相当する配線回路チェック器の点灯パターンを示した説明図である。
【図６】照明器具の第４改造例に相当する配線回路チェック器の点灯パターンを示した説明図である。
【図７】照明器具の第５改造例に相当する配線回路チェック器の点灯パターンを示した説明図である。
【図８】照明器具の第６改造例に相当する配線回路チェック器の点灯パターンを示した説明図である。
【図９】照明器具の第７改造例に相当する配線回路チェック器の点灯パターンを示した説明図である。
【図１０】照明器具の第８改造例に相当する配線回路チェック器の点灯パターンを示した説明図である。
【図１１】照明器具の第１改造例を示した説明図である。
【図１２】照明器具の第２改造例を示した説明図である。
【図１３】照明器具の第３改造例を示した説明図である。
【図１４】照明器具の第４改造例を示した説明図である。
【図１５】照明器具の第５改造例を示した説明図である。
【図１６】照明器具の第６改造例を示した説明図である。
【図１７】照明器具の第７改造例を示した説明図である。
【図１８】照明器具の第８改造例を示した説明図である。
【図１９】配線回路チェック器の変形例を示した説明図である。
【図２０】配線回路チェック器の変形例を示した説明図である。
【図２１】図１９及び図２０のブロック図である。
【図２２】表示部への表示例を示した説明図である。
【図２３】表示部への表示例を示した説明図である。
【発明を実施するための形態】
【００２３】
以下、図面を参照しながら本発明の実施の形態について説明する。
図１及び図２には、本発明による配線回路チェック器の一実施の形態が示されている。本実施の形態の配線回路チェック器１は、直管形蛍光ランプ（以下、蛍光ランプという。）や直管形ＬＥＤランプ（以下、ＬＥＤランプという。）を光源として用いる照明装置の照明器具の配線回路のチェックに適用可能なものである。
【００２４】
すなわち、本実施の形態の配線回路チェック器１は、例えば、照明装置の光源としての蛍光ランプをＬＥＤランプに代える場合や、照明装置の光源をＬＥＤランプから蛍光ランプに戻す場合等に使用され、照明装置の照明器具の配線回路が使用する蛍光ランプやＬＥＤランプの仕様に対応しているか否かをチェックするのに有効なものである。
【００２５】
なお、照明器具４５は、図１１〜図１８に示すように、両端にそれぞれ一対のソケットコンタクト（第１ソケットコンタクト４６、第２ソケットコンタクト４７、第３ソケットコンタクト４８、第４ソケットコンタクト４９）を有し、これらのソケットコンタクト（第１ソケットコンタクト４６、第２ソケットコンタクト４７、第３ソケットコンタクト４８、第４ソケットコンタクト４９）に本実施の形態の配線回路チェック器１の後述する検出端子（第１検出端子１０、第２検出端子１１、第３検出端子１２、第４検出端子１３）を接続することにより、照明器具４５に配線回路チェック器１が取り付けられる。
【００２６】
本実施の形態の配線回路チェック器１は、図１に示すように、円筒状の本体２と、本体２の両端に設けられる第１口金３及び第２口金６と、第１口金３に設けられる一対の検出端子１０、１１と、第２口金６に設けられる一対の検出端子１２、１３と、本体２の内部に設けられるチェック回路１５とから構成されている。
【００２７】
本体２は、外部から内部を透視可能な透明又は半透明の合成樹脂製又はガラス製の管状部材から形成されるものであって、この本体２の両端にそこを閉塞するように第１口金３及び第２口金６が一体に設けられ、この第１口金３及び第２口金６によって本体２の内部に密閉された空間が形成されている。
【００２８】
第１口金３及び第２口金６は、筒状の本体部４、７と、本体部４、７の一端を閉塞する円板状の蓋部５、８とから構成されるものであって、本体部４、７を本体２の端部に嵌合させることにより、本体２の両端部にそれぞれ一体に設けられている。
【００２９】
第１口金３の蓋部５には、蓋部５の内外を貫通する一対の孔（図示せず）が設けられ、この孔内に導電材からなる一対のピン状の第１検出端子１０及び第２検出端子１１が挿着されている。
【００３０】
第２口金６の蓋部８には、蓋部８の内外を貫通する一対の孔（図示せず）が設けられ、この孔内に導電材からなる一対のピン状の第３検出端子１２及び第４検出端子１３が挿着されている。
【００３１】
各検出端子１０〜１４は、両端が蓋部５、８の内外にそれぞれ所定の長さ突出し、各検出端子１０〜１４の蓋部５、８から内方に突出する部分がそれぞれ本体２の内部のチェック回路１５に接続され、各検出端子１０〜１４の蓋部５、８から外方に突出する部分がそれぞれ照明器具４５の各ソケットコンタクト４６〜４９（図１１〜図１８参照）に電気的に接続される。
【００３２】
なお、本実施の形態においては、配線回路チェック器１を蛍光ランプ及びＬＥＤランプの照明器具４５に着脱可能とするために、配線回路チェック器１の各部の寸法を蛍光ランプ及びＬＥＤランプの規格（ＪＩＳ  Ｃ７６０１等）に基づいて設定している。
【００３３】
チェック回路１５は、検出端子１０〜１３間の電圧を測定する端子間電圧測定回路１６と、各検出端子１０〜１３の対地電圧を測定する対地電圧測定回路３０とを備えている。
【００３４】
端子間電圧測定回路１６は、第１検出端子１０と第２検出端子１１との間に印加される電圧を測定する第１回路１７と、第３検出端子１２と第４検出端子１３との間に印加される電圧を測定する第２回路１８と、第１検出端子１０と第３検出端子１２との間に印加される電圧を測定する第３回路１９と、第２検出端子１１と第４検出端子１３との間に印加される電圧を測定する第４回路２０と、第１検出端子１０と第４検出端子１３との間に印加される電圧を測定する第５回路２１と、第２検出端子１１と第３検出端子１２との間に印加される電圧を測定する第６回路２２とから構成されている。
【００３５】
端子間電圧測定回路１６の各回路１７〜２２で測定した電圧値は、端子間電圧表示部（第１端子間電圧表示部２３〜第６端子間電圧表示部２８）に表示され、これらの端子間電圧表示部（第１端子間電圧表示部２３〜第６端子間電圧表示部２８）の表示を目視することにより、各回路１７〜２２の電圧値を確認することができる。
【００３６】
また、端子間電圧表示部（第１端子間電圧表示部２３〜第６端子間電圧表示部２８）には、各回路１７〜２２の電圧値が所定の値を超えた場合に点灯又は消灯するランプが設けれ、このランプの点灯又は消灯を目視することにより、各回路１７〜２２の電圧値が所定の値を超えているか否かを確認することができる。
【００３７】
なお、本実施の形態においては、各回路１７〜２２の電圧値が７０Ｖを超えたときにランプを点灯させ、７０Ｖに満たないときにランプを消灯させているが、各回路１７〜２２の電圧値が７０Ｖを超えたときにランプを消灯させ、７０Ｖに満たないときにランプを点灯させてもよい。
【００３８】
対地電圧測定回路３０は、第１検出端子１０の対地電圧を測定する第１回路３１と、第２検出端子１１の対地電圧を測定する第２回路３２と、第３検出端子１２の対地電圧を測定する第３回路３３と、第４検出端子１３の対地電圧を測定する第４回路３４とから構成されている。
【００３９】
対地電圧測定回路３０の各回路３１〜３４で測定した電圧値は、対地電圧表示部（第１対地電圧表示部３５〜第４対地電圧表示部３８）に表示され、これらの対地電圧表示部（第１対地電圧表示部３５〜第４対地電圧表示部３８）の表示を目視することにより、各回路３１〜３４の電圧値を確認することができる。
【００４０】
また、対地電圧表示部（第１対地電圧表示部３５〜第４対地電圧表示部３８）には、各回路３１〜３４の電圧値が所定の値を超えたときに点灯又は消灯するランプが設けられ、このランプの点灯又は消灯を目視することにより、各回路３１〜３４の電圧値が所定の値を超えているか否かを確認することができる。
【００４１】
なお、本実施の形態においては、各回路３１〜３４の電圧値が７０Ｖを超えたときにランプを点灯させ、７０Ｖに満たないときにランプを消灯させているが、各回路３１〜３４の電圧値が７０Ｖを超えたときにランプを消灯させ、７０Ｖに満たないときにランプを点灯させてもよい。
なお、対地電圧表示部（第１対地電圧表示部３５〜第４対地電圧表示部３８）において、ランプによる点灯又は消灯のみを行うように構成してもよい。
【００４２】
図２に、端子間電圧測定回路１６及び対地電圧測定回路３０の一例を示す。図２において、符号１０〜１３は検出端子、３９は抵抗、４０は電圧レベル検出回路、４１はランプ、４２はコンデンサ、４３は電池、４４はテストボタンである。
【００４３】
なお、端子間電圧測定回路１６及び対地電圧測定回路３０は、検出端子間１０〜１３の電圧、及び各検出端子１０〜１３の対地電圧を測定できるものであれば特に制限はなく、公知の各種の測定器や検電器の回路を用いることができる。
【００４４】
そして、上記のように構成した本実施の形態の配線回路チェック器１を用い、対象の照明器具４５の配線回路のチェックを行うには、対象の照明器具４５の第１ソケットコンタクト４６、第２ソケットコンタクト４７、第３ソケットコンタクト４８、及び第４ソケットコンタクト４９に配線回路チェック器１の第１検出端子１０、第２検出端子１１、第３検出端子１２、及び第４検出端子１３をそれぞれ接続することにより、対象の照明器具４５に配線回路チェック器１を取り付ける。
【００４５】
ここで、対象の照明器具４５の配線回路の改造例としては、例えば、図１１〜図１８に示す８つのパターンが考えられる。
【００４６】
図１１に示す改造例（第１改造例）は、対象の照明器具４５の第１ソケットコンタクト４６に電圧線Ｒ（電位１００Ｖ、以下、同じ。）を接続し、第２ソケットコンタクト４７に接地線Ｎ（電位０Ｖ、以下、同じ。）を接続し、第１ソケットコンタクト４６と第２ソケットコンタクト４７との間に電圧（１００Ｖ、以下、同じ。）を印加するように構成したものである。
【００４７】
また、図１２に示す改造例（第２改造例）は、第３ソケットコンタクト４８に電圧線Ｒを接続し、第４ソケットコンタクト４９に接地線Ｎを接続し、第３ソケットコンタクト４８と第４ソケットコンタクト４９との間に電圧を印加するように構成したものである。
【００４８】
さらに、図１３に示す改造例（第３改造例）は、第１ソケットコンタクト４６及び第２ソケットコンタクト４７に電圧線Ｒを接続し、第３ソケットコンタクト４８及び第４ソケットコンタクト４９に接地線Ｎを接続し、第１ソケットコンタクト４６及び第２ソケットコンタクト４７と、第３ソケットコンタクト４８及び第４ソケットコンタクト４９との間に電圧を印加するように構成したものである。
【００４９】
さらに、図１４に示す改造例（第４改造例）は、第１ソケットコンタクト４６に電圧線Ｒを接続し、第３ソケットコンタクト４８に接地線Ｎを接続し、第１ソケットコンタクト４６と第３ソケットコンタクト４８との間に電圧を印加するように構成したものである。
【００５０】
さらに、図１５に示す改造例（第５改造例）は、第２ソケットコンタクト４７に電圧線Ｒを接続し、第４ソケットコンタクト４９に接地線Ｎを接続し、第２ソケットコンタクト４７と第４ソケットコンタクト４９との間に電圧を印加するように構成したものである。
【００５１】
さらに、図１６に示す改造例（第６改造例）は、第１ソケットコンタクト４６に電圧線Ｒを接続し、第４ソケットコンタクト４９に接地線Ｎを接続し、第１ソケットコンタクト４６と第４ソケットコンタクト４９との間に電圧を印加するように構成したものである。
【００５２】
さらに、図１７に示す改造例（第７改造例）は、第２ソケットコンタクト４７に電圧線Ｒを接続し、第３ソケットコンタクト４８に接地線Ｎを接続し、第２ソケットコンタクト４７と第３ソケットコンタクト４８との間に電圧を印加するように構成したものである。
【００５３】
さらに、図１８に示す改造例（第８改造例）は、第１ソケットコンタクト４６に電圧線Ｒを接続し、第２ソケットコンタクト４７に接地線Ｎを接続し、第３ソケットコンタクト４８に電圧線Ｒを接続し、第４ソケットコンタクト４９に接地線Ｎを接続し、第１ソケットコンタクト４６と第２ソケットコンタクト４７との間、第３ソケットコンタクト４８と第４ソケットコンタクト４９との間にそれぞれ電圧を印加するように構成したものである。
【００５４】
そして、対象の照明器具４５が図１１の第１改造例に該当する場合には、図３に示すように、配線回路チェック器１の端子間電圧測定回路１６の第１回路１７の第１検出端子１０と第２検出端子１１との間に電圧が印加されることにより、表１に示すように、第１端子間電圧表示部２３のランプが点灯するとともに、第１端子間電圧表示部２３に測定した電圧が表示される。
【００５５】
また、対象の照明器具４５が図１２の第２改造例に該当する場合には、図４に示すように、配線回路チェック器１の端子間電圧測定回路１６の第２回路１８の第３検出端子１２と第４検出端子１３との間に電圧が印加されることにより、表１に示すように、第２端子間電圧表示部２４のランプが点灯するとともに、第２端子間電圧表示部２４に測定した電圧が表示される。
【００５６】
さらに、対象の照明器具４５が図１３の第３改造例に該当する場合には、図５に示すように、配線回路チェック器１の端子間電圧測定回路１６の第３回路１９の第１検出端子１０と第３検出端子１２との間、第４回路２０の第２検出端子１１と第４検出端子１３との間、第５回路２１の第１検出端子１０と第４検出端子１３との間、及び第６回路２２の第２検出端子１１と第３検出端子１２との間に電圧が印加されることにより、表１に示すように、第３端子間電圧表示部２５のランプ、第４端子間電圧表示部２６のランプ、第５端子間電圧表示部２７のランプ、及び第６端子間電圧表示部２８のランプがそれぞれ点灯するとともに、それらに測定した電圧がそれぞれ表示される。
【００５７】
さらに、対象の照明器具４５が図１４の第４改造例に該当する場合には、図６に示すように、配線回路チェック器１の端子間電圧測定回路１６の第３回路１９の第１検出端子１０と第３検出端子１２との間に電圧が印加されることにより、表１に示すように、第３端子間電圧表示部２５のランプが点灯するとともに、第３端子間電圧表示部２５に測定した電圧が表示される。
【００５８】
さらに、対象の照明器具４５が図１５の第５改造例に該当する場合には、図７に示すように、配線回路チェック器１の端子間電圧測定回路１６の第４回路２０の第２検出端子１１と第４検出端子１３との間に電圧が印加されることにより、表１に示すように、第４端子間電圧表示部２６のランプが点灯するとともに、第４端子間電圧表示部２６に測定した電圧が表示される。
【００５９】
さらに、対象の照明器具４５が図１６の第６改造例に該当する場合には、図８に示すように、配線回路チェック器１の端子間電圧測定回路１６の第５回路２１の第１検出端子１０と第４検出端子１３との間に電圧が印加されることにより、表１に示すように、第５端子間電圧表示部２７のランプが点灯するとともに、第５端子間電圧表示部２７に測定した電圧が表示される。
【００６０】
さらに、対象の照明器具４５が図１７の第７改造例に該当する場合には、図９に示すように、配線回路チェック器１の端子間電圧測定回路１６の第６回路２２の第２検出端子１１と第３検出端子１２との間に電圧が印加されることにより、表１に示すように、第６端子間電圧表示部２８のランプが点灯するとともに、第６端子間電圧表示部２８に測定した電圧が表示される。
【００６１】
さらに、対象の照明器具４５が図１８の第８改造例に該当する場合には、図１０に示すように、配線回路チェック器１の端子間電圧測定回路１６の第１回路１７の第１検出端子１０と第２検出端子１１との間、第２回路１８の第３検出端子１２と第４検出端子１３との間、第５回路２１の第１検出端子１０と第４検出端子１３との間、及び第６回路２２の第２検出端子１１と第３検出端子１２との間に電圧が印加されることにより、表１に示すように、第１端子間電圧表示部２３のランプ、第２端子間電圧表示部２４のランプ、第５端子間電圧表示部２７のランプ、第６端子間電圧表示部２８のランプがそれぞれ点灯するとともに、それらに測定した電圧がそれぞれ表示される。
【００６２】
【表１】
2012221663.tif 000003
【００６３】
従って、配線回路チェック器１の各端子間電圧表示部２３〜２８の表示を目視し、表１に示す何れの改造例に該当するかを確認することにより、対象の照明器具４５の配線回路が何れのパターンに該当するかを特定することができる。
【００６４】
また、対象の照明器具４５の各ソケットコンタクト４６〜４９の対地電圧は、配線回路チェック器１を対象の照明器具４５に取り付けたときに、対地電圧測定回路３０の各対地電圧表示部３５〜３８の表示を目視し、各対地電圧表示部３５〜３８のランプが点灯しているか否か、及び表示される電圧値を確認するとともにことにより、対象の照明器具４５の各ソケットコンタクト４６〜４９の対地電圧が７０Ｖを超えるか、或いは７０Ｖに満たないかを確認することができる。
【００６５】
従って、電圧線Ｒと接地線Ｎとが逆の場合にも対応することができる。また、例えば、図１３に示す第３改造例の場合には、電圧線Ｒが接続される第１ソケットコンタクト４６と、電圧線Ｒが接続される第２ソケットコンタクト４７との間の電圧は０Ｖであるが、これらの対地電圧は１００Ｖとなるので、そのような場合に配線回路のチェックを行う作業者の安全を確保することができる。
【００６６】
なお、図１９〜図２１に示すように、配線回路チェック器１で測定した端子間電圧測定回路１６の各回路１７〜２２で測定した検出端子間１０〜１３の電圧値、及び対地電圧測定回路３０の各回路３１〜３４で測定した各検出端子１０〜１３の対地電圧値を測定データとして、無線又は有線によってコンピュータ５０の演算部５１に送り、この測定データに基づいて演算部５１のデータベースに予め格納しておいた図１１〜図１８のパターンを選定し、図２２又は図２３に示すように、コンピュータ５０の表示部５２に表示させるように構成してもよい。なお、図２２、図２３中、Ｌ１は第１検出端子１０、Ｌ２は第２検出端子１１、Ｒ１は第３検出端子、Ｒ２は第４検出端子を示している。
【００６７】
上記のように構成した本実施の形態の配線回路チェック器１にあっては、省エネを目的として、蛍光ランプに代えてＬＥＤランプを使用する場合に、対象の照明器具４５の配線回路が使用するＬＥＤランプの仕様に対応しているか否かの確認を、専門的な知識を必要とすることなく、容易に確認することができる。また、ＬＥＤランプを蛍光ランプに戻す場合に、対象の照明器具４５の配線回路が使用する蛍光ランプの使用に対応しているか否かの確認を、専門的な知識を必要とすることなく、容易に確認することができる。
【００６８】
従って、照明器具４５に蛍光ランプやＬＥＤランプを取り付ける場合に、専門的な知識を有しない者であっても、照明器具４５、蛍光ランプ、及びＬＥＤランプを故障させたり、電源短絡による事故を発生させたりすることなく、安全に取り付けることができる。
【符号の説明】
【００６９】
１  配線回路チェック器
２  本体
３  第１口金
４  本体部
５  蓋部
６  第２口金
７  本体部
８  蓋部
１０  第１検出端子
１１  第２検出端子
１２  第３検出端子
１３  第４検出端子
１５  チェック回路
１６  端子間電圧測定回路
１７  第１回路
１８  第２回路
１９  第３回路
２０  第４回路
２１  第５回路
２２  第６回路
２３  第１端子間電圧表示部
２４  第２端子間電圧表示部
２５  第３端子間電圧表示部
２６  第４端子間電圧表示部
２７  第５端子間電圧表示部
２８  第６端子間電圧表示部
３０  対地電圧測定回路
３１  第１回路
３２  第２回路
３３  第３回路
３４  第４回路
３５  第１対地電圧表示部
３６  第２対地電圧表示部
３７  第３対地電圧表示部
３８  第４対地電圧表示部
３９  抵抗
４０  電圧レベル検出回路
４１  ランプ
４２  コンデンサ
４３  電池
４４  テストボタン
４５  照明器具
４６  第１ソケットコンタクト
４７  第２ソケットコンタクト
４８  第３ソケットコンタクト
４９  第４ソケットコンタクト
５０  コンピュータ
５１  演算部
５２  表示部
【図１】
2012221663.tif 000004
【図２】
2012221663.tif 000005
【図３】
2012221663.tif 000006
【図４】
2012221663.tif 000007
【図５】
2012221663.tif 000008
【図６】
2012221663.tif 000009
【図７】
2012221663.tif 000010
【図８】
2012221663.tif 000011
【図９】
2012221663.tif 000012
【図１０】
2012221663.tif 000013
【図１１】
2012221663.tif 000014
【図１２】
2012221663.tif 000015
【図１３】
2012221663.tif 000016
【図１４】
2012221663.tif 000017
【図１５】
2012221663.tif 000018
【図１６】
2012221663.tif 000019
【図１７】
2012221663.tif 000020
【図１８】
2012221663.tif 000021
【図１９】
2012221663.tif 000022
【図２０】
2012221663.tif 000023
【図２１】
2012221663.tif 000024
【図２２】
2012221663.tif 000025
【図２３】
2012221663.tif 000026